(57)【要約】【課題】様々な楽しみ方及び取り扱い方に使用することができる平面型プレートを提供する。【解決手段】同一形状の平面型プレート１…の対向辺に形成した突起３…と孔部４…とを回転が許容される状態に係止して平面的及び立体的に連結するか、平面的及び立体的に組み合わせたもの連結する。且つ、単体又は複数の平面型プレート１を１組として取り扱うか、複数の平面型プレート１…を平面的及び立体的に組み合わせたものを吊り下げるか、立体的に組み合わせたものを所望する場所に置くか、何回も連結及び分離する。且つ、平面型プレート１…を平面的及び立体的に組み合わせて、複数に分割された表示内容Ａを一つに繋ぎ合わせるようなジグソーパズルとして使用する。【選択図】  図６
2005296369.tif 000002
【特許請求の範囲】
【請求項１】
互いに係止される突起と孔部とを、同一形状を有する複数のプレート本体の隣り合う又は対向する各辺に形成すると共に、該突起と孔部とを回転が許容される状態に係止可能に設けた
平面型プレート。
【請求項２】
上記プレート本体を、平面形状に復元可能な硬さを有するプラスチックで構成した
請求項１記載の平面型プレート。
【請求項３】
上記プレート本体を、透光性及び柔軟性を有する少なくとも一方のプラスチックで構成した
請求項１又は２記載の平面型プレート。
【請求項４】
上記プレート本体を、略正方形に形成した
請求項１，２又は３記載の平面型プレート。
【請求項５】
上記プレート本体が吊り下げられる吊り下げ手段を、該プレート本体の孔部に連結可能に設けた
請求項１，２，３又は４記載の平面型プレート。
【請求項６】
上記プレート本体の片面又は両面に、所望する表示内容を付設した
請求項１，２，３，４又は５記載の平面型プレート。
【請求項７】
上記平面型プレートの平面的及び立体的に組み合わせたとき、一つに繋ぎ合わされるような表示内容を複数の平面型プレートに分割して付設した
請求項１，２，３，４又は５記載の平面型プレート。
【発明の詳細な説明】
【技術分野】
【０００１】
この発明は、例えば単体又は複数のプレートを１組として使用するか、複数のプレートを平面的及び立体的に組み合わせる等の様々な楽しみ方及び取り扱い方に使用することができる平面型プレートに関する。
【背景技術】
【０００２】
従来、上述の平面型プレートとしては、例えば各分割ピースの対向辺に形成した凹部と凸部とを互いに突き合わせて、多数の各分割ピースを所定の位置関係に配列した状態に結合し、各分割ピースに分割表示された文字又は図形の一部を互いに繋ぎ合わせる特許文献１のジグソーパズルと、第１シートの縁部を、第２シートの縁部に形成した切込みから差し込み、第１シートの縁部に形成した係止孔と、第２シートの縁部に形成した係止孔とを互いに係合する特許文献１のジグソーパズルとがある。
【０００３】
しかし、特許文献１の各分割ピースに形成した凹部及び凸部は、各分割ピースを所定の位置関係に結合するためのもので、各分割ピースの角度及び方向を自由に変更することが不可能であり、予め定められた位置関係だけしか組み付けることができず、ジグソーパズルのみに用途が限定される。且つ、各分割ピースに分割表示した文字又は図形は関連しているので、各分割ピーツを単体で使用すると、ジグソーパズルとして楽しむことができなくなる。一方、特許文献２の係止孔は、第１シート及び第２シートの縁部よりも内側平面部に形成しているので、何れか一方のシートを所望する方向に回動しようとすると、各シートの縁部又は平面部が互いに当接するため、シートの回動角度に限界がある。
【特許文献１】実開昭６１−１４８３８４号公報。
【特許文献２】実用新案登録第３０８９７９６号公報。
【発明の開示】
【発明が解決しようとする課題】
【０００４】
この発明は上記問題に鑑み、プレート本体の隣り合う又は対向する各辺に形成した突起と孔部とを互いに回転が許容される状態に係止可能に設けることにより、単体又は複数のプレートを１組として取り扱うか、複数のプレートを平面的及び立体的に連結するか、単体又は組み合わせたものを吊り下げるか、立体的に組み合わせたものを置く等して、様々な楽しみ方及び取り扱い方に使用することができる平面型プレートの提供を目的とする。
【課題を解決するための手段】
【０００５】
この発明は、互いに係止される突起と孔部とを、同一形状を有する複数のプレート本体の隣り合う又は対向する各辺に形成すると共に、該突起と孔部とを回転が許容される状態に係止可能に設けた平面型プレートであることを特徴とする。
【０００６】
上述のプレート本体は、例えば塩化ビニル、ポリエチレン、ポリプロピレン、ポリカーボネート、ポリエチレンテレフタレート、その他の熱可塑性樹脂、熱硬化性樹脂等の単体又は複合したプラスチックで構成することができる。また、上述のプラスチックの代わり又は併用して、例えば厚紙や金属、木等の単体又は複合した材質で構成することもできる。なお、実施例では、プレート本体を、正面視略正方形に形成しているが、例えば略三角形や略長方形、略五角形、略六角形、略楕円形、略円形等の所望する形状に形成することもできる。
【０００７】
つまり、隣り合う各平面型プレートの対向辺に形成した突起と孔部とを回転が許容される状態に係止して平面的及び立体的に連結し、所望する平面形状及び立体形状に組み合わせるか、平面的及び立体的に組み合わせたものを互いに連結するか、立体的に組み合わせたものを所望する場所に置くか、何回も連結及び分離する等して、使用者が楽しむような用途、その他の様々な用途に使用することができる。
【０００８】
実施の形態として、上記プレート本体を、平面形状に復元可能な硬さを有するプラスチックで構成することができる。つまり、所望する平面形状及び立体形状に組み合わせた状態を維持することができる。また、上記プレート本体を、透光性及び柔軟性を有する少なくとも一方のプラスチックで構成することができる。つまり、透光性を有するプラスチックの場合、プレート本体の後部及び内部、プレート本体に付設した表示内容等を、プレート本体の表面側から目視及び読取ることが可能となる。一方、柔軟性を有するプレート本体の一部又は全体を変形させるか、突起及び孔部の少なくとも一方を変形させる等して、分離及び組み付けを容易にする。また、上記プレート本体を、略正方形に形成することができる。つまり、略正方形のプレート本体を基本とする平面的及び立体的なものを作ることができる。
【０００９】
また、上記プレート本体が吊り下げられる吊り下げ手段を、該プレート本体の孔部に連結可能に設けることができる。例えばストラップ、チェーン、ベルト、クリップ、紐等の吊り下げ具を、平面型プレートの孔部に繋ぐ又は連結すれば、単体又は複数の平面型プレートと、複数の平面型プレートを平面的及び立体的に組み合わせたものを、アクセサリーとして吊り下げるか、持ち歩くか、装飾品等として使用することができる。
【００１０】
また、上記プレート本体の片面又は両面に、所望する表示内容を付設することができる。その表示内容は、例えば様々なキャラクターや写真、模様、文字、図柄、宣伝、案内、商品名、価格、カレンダー、メッセージ、その他の内容等で構成することができる。また、上記平面型プレートを平面的及び立体的に組み合わせたとき、一つに繋ぎ合わされるような表示内容を複数の平面型プレートに分割して付設することができる。つまり、複数の平面型プレートに分割して付設した表示内容を平面的及び立体的に繋ぎ合わせて、一つの表示内容を完成させるジグソーパズルとして使用することができる。
【発明の効果】
【００１１】
この発明によれば、隣り合う各平面型プレートの対向辺に形成した突起と孔部とを回転が許容される状態に係止して連結するので、連結枚数に制限がなく、無制限に連結することができる。且つ、連結角度及び連結方向、組み合わせ方向が規制されず、所望する平面形状及び立体形状に組み合わせるか、平面的及び立体的に組み合わせたもの互いに連結するか、立体的に組み合わせたものを所望する場所に置くか、何回も連結及び分離する等して楽しむことができる。
【００１２】
且つ、単体又は複数束ねた平面型プレートを１組とするものと、複数の平面型プレートを平面的及び立体的に組み合わせたものを、アクセサリーとして吊り下げるか、持ち歩くか、装飾品等として使用することができる。且つ、複数の平面型プレートに付設された表示内容を互いに繋ぎ合わせて楽しむようなジグソーパズルとしても使用することができ、特定の使用方法に規制されず、使用者独自の組み合わせ及び遊びが可能であり、年齢に関係なく色々な楽しみ方及び取り扱い方に使用することができる。
【発明を実施するための最良の形態】
【００１３】
この発明は、単体又は複数のプレートを１組として取り扱うか、複数のプレートを平面的及び立体的に連結するか、単体又は組み合わせたものを吊り下げるか、立体的に組み合わせたものを置く等して、様々な楽しみ方及び取り扱い方に使用することができるという目的を、プレートの隣り合う又は対向する各辺に形成した突起と孔部とを互いに回転が許容される状態に係止可能に設けることで達成できる。
【実施例】
【００１４】
この発明の一実施例を以下図面に基づいて詳述する。  
図面は、単体又は複数のプレートを１組として取り扱うか、複数のプレートを平面的及び立体的に組み合わせて使用することができる平面型プレートを示し、図１及び図２に於いて、この平面型プレート１は、柔軟性及び透光性を有する透明なプラスチックで正面視略正方形に形成したプレート本体２の隣り合う各辺の中央部に、他の隣り合う各辺に形成した略丸形状の孔部４に係止可能な突起３をそれぞれ形成し、プレート本体２の他の隣り合う各辺の中央部に、上記突起３が係止可能な孔部４をそれぞれ形成している。なお、実施例では、平面型プレート１を、正面視略正方形に形成しているが、例えば略三角形や略長方形、略五角形、略六角形、略楕円形、略円形等の所望する形状に形成することもでき、異なる形状の平面型プレート１を組み合わせれば、平面的及び立体的な組み合わせパターンが多くなる。
【００１５】
上述のプレート本体２は、例えば熱可塑性樹脂、熱硬化性樹脂等の単体又は複合したプラスチックでシート状に形成され、突起３を孔部４に差し込む連結作業と、突起３を孔部４から抜き取る分離作業とを繰り返しても、破損しないような厚み及び硬さに形成している。なお、プレート本体２を、半透明又は不透明なプラスチックで形成することもできる。
【００１６】
且つ、突起３及び孔部４は、図３、図４、図５に示すように、例えば上下方向、左右方向、前後方向等の所望する方向に対して正逆回転が許容される大きさに及び形状に形成され、相互の差し込み及び抜き取りが許容される状態に変形可能に設けている。なお、孔部４は、例えばストラップ、チェーン、ベルト、クリップ、紐等の吊り下げ具５を繋ぐ及び連結するのにも利用することができる。また、突起３及び孔部４の配列数を、例えば２個、３個、４個等の複数に変更することもできる。
【００１７】
且つ、プレート本体２の片面（表面又は裏面）には、例えば様々なキャラクターや写真、模様、文字、図柄、宣伝、案内、商品名、価格、カレンダー、メッセージ、その他の内容等の所望する表示内容Ａを単体又は複数組み合わせて印刷している。また、表示内容Ａを、プレート本体２の両面（表裏両面）に印刷することもできる。上記印刷以外の方法として、例えば刻設、貼着等して付設することもできる。
【００１８】
且つ、プレート本体２の一部又は全体を、例えば赤色、青色、黄色、緑色、茶色、その他の色等の中から選択した所望する単一色又は複合色の着色料を、プレート本体２を構成するプラスチックに所定量混入して製造するか、所望する色の塗料をプレート本体２に塗布又は吹き付けるか、プレート本体２の一部又は全体を塗料に浸漬する等して着色する。
【００１９】
且つ、同一形状の平面型プレート１…を互いに連結する場合、一方の平面型プレート１に形成した突起３を、他方の平面型プレート１に形成した孔部４に差し込み、突起３の両側段部を孔部４の両側縁部に係止することで、突起３及び孔部４が互いに抜止めされ、平面型プレート１，１の連結状態及び組み付け状態を維持することができる。一方、平面型プレート１…を分離又は分解する場合、突起３及び孔部４の少なくとも一方を、相互の分離及び抜き取りが許容される形状に変形させるか、突起３を孔部４から強制的に抜き取る等して、単体プレートに分離する。
【００２０】
上述の平面型プレート１…を連結及び組み合わせる場合、隣り合う平面型プレート１…の各辺を対向して、第１の平面型プレート１に形成した突起３を、第２の平面型プレート１に形成した孔部４に差し込み、その突起３の両側段部を、孔部４の両側縁部に係止して一体的に連結及び組み合わせる。つまり、平面型プレート１…の対向辺に形成した突起３及び孔部４の少なくとも一方を、相互の差し込みが許容される形状に変形させるか、突起３を孔部４に対して強制的に差し込む等して、平面型プレート１…を、例えば左右方向や上下方向、前後方向、斜め方向等に向けて略直列に複数連結することができる。
【００２１】
図示実施例は上記の如く構成するものにして、以下、同一形状に形成した平面型プレート１…の連結例及び組み合わせ例を説明する。
【００２２】
先ず、平面型プレート１…の平面的な連結例として、例えば図６に示すように、第１の平面型プレート１の下辺に形成した突起３を、第２の平面型プレート１の上辺に形成した孔部４に差し込み、第２の平面型プレート１の下辺に形成した突起３を、第３の平面型プレート１の上辺に形成した孔部４に差し込んで、３枚の平面型プレート１…を上下方向に向けて略直列又は略直線に連結する。
【００２３】
且つ、例えばストラップ、チェーン、ベルト、クリップ、糸、紐、針金、金具等の吊り下げ具５を、平面型プレート１に形成した孔部４に繋ぐ又は連結すれば、単体又は複数の平面型プレート１と、後述する平面型プレート１…を平面的及び立体的に組み合わせたものを、アクセサリーとして吊り下げるか、持ち歩くか、装飾品等として使用することもできる。
【００２４】
他の平面的な連結例及び組み合わせ例として、例えば図７に示すように、略直列に連結した第１群の平面型プレート１…と、第２群の平面型プレート１…とを、相互の対向辺に形成した突起３…及び孔部４…を互いに係止して、複数群の平面型プレート１…を上下方向又は左右方向に向けて平面的に並列連結することもできるので、平面型プレート１…の連結枚数には制限がなく、例えば最小の２枚から、４枚、５枚、６枚等の無制限に連結することができ、様々な形状に組み合わせて楽しむことができる。
【００２５】
次に、立体的な連結例及び組み合わせ例として、例えば図８に示すように、例えば３枚の平面型プレート１…の対向辺に形成した突起３…及び孔部４…を互いに係止して、三角形状立方体に組付けることができる。また、図９に示すように、図８の三角形状立方体を上下に連結及び組み合わせて、三角柱状立方体に組付けることもできる。
【００２６】
且つ、図１０に示すように、６面の平面型プレート１…を連結及び組み合わせて、箱状立方体（正立方体）に組付けることもできる。また、図１１に示す立体的な（ａ）（ｂ）（ｃ）（ｄ）（ｅ）（ｆ）形態に組付けることもできる。例えば図１０の箱状立方体を２個組み合わせて（ａ）形態に組付けるか、複数個組み合わせて（ｂ）形態に組付けることもできる。
【００２７】
且つ、５面の平面型プレート１…を連結及び組み合わせて、上面開放型又は下面開放型の（ｃ）形態に組付けることもできる。また、（ｃ）形態を有する箱状立方体の開放側上辺部に、２枚の平面型プレート１，１を三角の屋根形状に組み付けたまま連結及び組み合わせて、ハウス型の（ｄ）形態に組付けることもできる。また、（ａ）形態又は（ｃ）形態を有する箱状立方体の対向辺を互いに連結して、２個又は複数個の箱状立方体を連結してなる（ｅ）形態に組付けることもできる。つまり、上述の立体形状に組み合わせた場合、安定性が良く、単体でも自立可能であるため、例えば机や棚等の所望する場所に置くか、ケースや陳列棚等の所望する陳列場所に展示することができる。
【００２８】
且つ、表裏２枚の平面型プレート１，１の対向辺（例えば２辺、３辺、４辺）を互いに連結して、袋状の（ｆ）形態に組付けることもできる。その平面型プレート１，１の対向面間に、例えば写真や絵、紙等のシート状の表示物を挟み込むことができる。
【００２９】
上記平面的及び立体的な連結例以外のその他の例として、例えば図１２に示すように、平面型プレート１…の対向辺を互いに連結して、様々な角度に変形可能な形態に組み付けることもできる。また、図１３に示すように、平面型プレート１…をリング状又はベルト状に連結することもできる。
【００３０】
且つ、平面的及び立体的に組み合わせて楽しむジグソーパズルの例として、例えば図１４に示すように、複数枚の各平面型プレート１…の片面又は両面に、これら各平面型プレート１…を平面的及び立体的に組み合わせたとき一つに繋ぎ合わされるようなキャラクターや文字、図形等の表示内容Ａを分割して表示印刷することもできる。つまり、各平面型プレート１…の対向辺に形成した突起３…及び孔部４…を互いに係止して、各平面型プレート１…を平面的に配列した状態に組み合わせ、各平面型プレート１…に分割して印刷されたキャラクターや文字、図形等の表示内容Ａの一部を互いに繋ぎ合わせて、一つの表示内容Ａを完成させて楽しむような平面的なジグソーパズルとして使用することができる。且つ、立体的に組み合わせれば、立体的なジグソーパズルとしても使用することができる。
【００３１】
以上のように、隣り合う平面型プレート１…の対向辺に形成した突起３…と孔部４…とを回転が許容される状態に係止して連結するので、連結枚数に制限がなく、例えば最小の２枚から、４枚、５枚、６枚等の無制限に連結することができる。且つ、連結角度及び連結方向、組み合わせ方向が規制されず、所望する平面形状及び立体形状に組み合わせるか、平面的及び立体的に組み合わせたもの互いに連結するか、立体的に組み合わせたものを所望する場所に置くか、何回も連結及び分離する等して使用者が楽しむことができる。
【００３２】
且つ、吊り下げ具５を、平面型プレート１に形成した孔部４に連結すれば、単体又は複数束ねた平面型プレート１を１組とするものと、複数の平面型プレート１…を平面的及び立体的に組み合わせたものを、アクセサリーとして吊り下げるか、持ち歩くか、装飾品等として使用することもできる。
【００３３】
且つ、複数の平面型プレート１…を平面的及び立体的に組み合わせて、平面型プレート１…に分割して印刷されたキャラクターや文字、図形等の表示内容Ａを平面的及び立体的に繋ぎ合わせて、一つの表示内容Ａを完成させて楽しむようなジグソーパズルとしても使用することができる。
【００３４】
且つ、類似又は酷似する表示内容Ａが印刷された平面型プレート１をコレクションする楽しみ方と、集めた平面型プレート１を、独自の組み合わせ方で、独自の平面形状及び立体形状に組み立てて楽しむことが可能である。なお、異なる絵柄の表示内容Ａが印刷された平面型プレート１を多数枚作ると、コレクションする楽しみ方ができる。つまり、特定の使用方法に規制されず、使用者独自の組み合わせ及び遊びが可能であり、年齢に関係なく色々な楽しみ方及び取り扱い方に使用することができる。
【００３５】
この発明の構成と、上述の実施例との対応において、  
この発明の吊り下げ手段は、実施例の吊り下げ具５に対応するも、  
この発明は、上述の実施例の構成のみに限定されるものではない。
【００３６】
図１５は、平面型プレート１の他の例を示し、突起３を、プレート本体２の対向する各辺の中央部に形成し、その突起３が係止される孔部４を、プレート本体２の対向する各辺の中央部に形成することもでき、上述のように連結及び組み合わせた場合、上記実施例と略同等の作用及び効果を奏することができる。
【００３７】
また、例えばレンチキュラーレンズ、フレネルレンズ等のレンズ面を、平面型プレート１を構成するプレート本体２の片面又は両面に付設して、モアレ模様や文字、図柄等を立体的に現出することもできる。
【図面の簡単な説明】
【００３８】
【図１】平面型プレートの単体形状を示す正面図。
【図２】平面型プレートの構造を示す断面図。
【図３】平面型プレートの連結状態を示す正面図。
【図４】平面型プレートの水平回動状態を示す斜視図。
【図５】平面型プレートの垂直回動状態を示す斜視図。
【図６】平面型プレートの直列連結状態を示す正面図。
【図７】平面型プレートの並列連結状態を示す正面図。
【図８】平面型プレートを三角形状の立方体に組み合わせた例を示す斜視図。
【図９】三角柱状の立方体を連結した例を斜視図。
【図１０】平面型プレートを箱状立方体に組み合わせた例を示す斜視図。
【図１１】箱状立方体の組付け例及び表裏プレートの組付け例を示す斜視図。
【図１２】平面型プレートを様々な角度に連結した例を示す斜視図。
【図１３】平面型プレートをリング状に連結した例を示す斜視図。
【図１４】平面型プレートをパズルとして組み合わせる例を示す正面図。
【図１５】突起及び孔部を対向する各辺に形成した例を示す正面図。
【符号の説明】
【００３９】
Ａ…表示内容
１…平面型プレート
２…プレート本体
３…突起
４…孔部
５…吊り下げ具
【図１】
2005296369.tif 000003
【図２】
2005296369.tif 000004
【図３】
2005296369.tif 000005
【図４】
2005296369.tif 000006
【図５】
2005296369.tif 000007
【図６】
2005296369.tif 000008
【図７】
2005296369.tif 000009
【図８】
2005296369.tif 000010
【図９】
2005296369.tif 000011
【図１０】
2005296369.tif 000012
【図１１】
2005296369.tif 000013
【図１２】
2005296369.tif 000014
【図１３】
2005296369.tif 000015
【図１４】
2005296369.tif 000016
【図１５】
2005296369.tif 000017